(57)【要約】      （修正有）【課題】小型で簡易な構造の収納ケースであって、収納及び取出し作業を容易且つ迅速に行うことができるうえ、収納ケースとしての耐久性を備え、収納物を確実に保護できる収納ケースを提供する。【解決手段】開口部５を設けた筐体２と、収納物を着脱自在に保持する保持盤３と、該保持盤３が前記筐体２内で転動して直線状に移動するように案内し、前記保持盤３を前記筐体２内に収容した収納位置と、前記保持盤３を前記開口部５から前記筐体２の外方へ突出させた取出位置とに、位置切換え可能とする転動案内手段４とを備えた。【選択図】図１
2011105378.tif 000002
【特許請求の範囲】
【請求項１】
開口部を設けた筐体と、
収納物を着脱自在に保持する保持盤と、
該保持盤が前記筐体内で転動して直線状に移動するように案内し、前記保持盤を前記筐体内に収容した収納位置と、前記保持盤を前記開口部から前記筐体の外方へ突出させた取出位置とに、位置切換え可能とする転動案内手段とを備えたことを特徴とする収納ケース。
【請求項２】
前記転動案内手段が、前記筐体に設けられ、前記保持盤の転動方向に延びるラックギアと、前記保持盤に設けられ、前記ラックギアに噛合するピニオンギアとを備えたものである請求項１記載の収納ケース。
【請求項３】
前記保持盤が収納物を保持する掛止部を有し、前記収納位置では該掛止部の全部又は一部が収納物よりも該収納物の取出方向の前方側に位置し、前記取出位置では前記掛止部の全部が収納物よりも該収納物の取出方向の前方側に位置しない請求項１又は２の何れかに記載の収納ケース。
【請求項４】
前記筐体に、前記保持盤の周縁部を前記収納位置と前記取出位置との間に渡って直線状に案内する案内溝を設けた請求項１〜３の何れか１項記載の収納ケース。
【請求項５】
前記筐体に複数の前記保持盤を積層状に内装した請求項１〜４の何れか記載の収納ケース。
【請求項６】
前記保持盤における前記収納位置の開口部側に、前記保持盤を操作する操作部を形成し、隣接する前記保持盤の操作部が周方向にズラして配設されている請求項５記載の収納ケース。
【発明の詳細な説明】
【技術分野】
【０００１】
本発明は、主にコンパクトディスク（以下、ＣＤと称する）、メモリカード等の記憶媒体やゲームソフトを整理して収納し、持ち歩くための収納ケースに関わり、更に詳しくは、収納物の出し入れを容易に行うことができ、コンパクトなサイズで耐久性にも優れた収納ケースに関するものである。
【背景技術】
【０００２】
従来、収納物を容易に収納及び取出し可能とする収納ケースとして、左右に設けた側板間に記憶媒体の収納部を形成し、前記収納部に記憶媒体を裸体のまま保持可能な保持部材を回動可能に取り付けたことを特徴とする記憶媒体収納ケースが提案され（例えば、特許文献１及び２参照。）、これに似た構成で連装式のＣＤ収納ケースも提案されている（例えば、特許文献３参照。）。
【０００３】
また、外筐体に平行移動可能に取り付けられたテーブル部を、外筐体から突出するようにバネを用いて付勢し、テーブル部の移動をロックする解除自在なロック手段を設け、収納物を収納している時にはロック手段を機能させてテーブル部を外筐体内に収容した状態とし、収納物の収納及び取出作業時にはこのロック手段を解除してバネによりテーブル部が外筐体の外方に突出することにより、収納物を容易に収納及び取出し可能とするもの（例えば、特許文献４及び５参照。）等も提案されている。
【０００４】
さらに、外筐体から収納物が突出するようにバネで付勢させるものであって、ディスクを載置するためのトレイを使用しないディスク収納装置として、ケース本体と保持部材と付勢部材と留め具とを有し、ケース本体はディスクの収納室と、収納室に連通するディスク挿入口と、収納室に収納されるディスクの縁を挟んでディスクをディスク挿入口から収納室の内部まで案内するガイド溝とを有し、保持部材はディスク挿入口から挿入されたディスクを収納室に収納した状態で保持する収納位置と、ディスクの一部をディスク挿入口から突出させてディスクを取出し可能に保持する取出位置との間で移動可能に収納室に設けられ、付勢部材は保持部材を収納位置から取出位置に付勢するよう収納室に設けられ、留め具は保持部材を収納位置で着脱可能に固定するよう収納室に設けられていることを特徴とするものも提案されている（例えば、特許文献６参照。）。
【先行技術文献】
【特許文献】
【０００５】
【特許文献１】実開平５−７１１９１号公報
【特許文献２】実用新案登録第２５２４９６４号公報（図４及び図５）
【特許文献３】実開平９−２２号公報（図１）
【特許文献４】特開平１１−１８９２８５号公報（図１、図５及び図７）
【特許文献５】特開平８−１６１８４６号公報（図１、図４及び図５）
【特許文献６】特開２００９−９１０２５号公報
【発明の概要】
【発明が解決しようとする課題】
【０００６】
特許文献１及び２記載の記録媒体収納ケースは、側板（前蓋及び後蓋）に対してビス（回転軸）を用いて回動自在に取り付けた保持部材（保護盤）に、記憶媒体を裸体のまま保持させておき、必要に応じて前記保持部材を回動させることにより、記憶媒体を容易に収納及び取り出すことができるものである。
従って、特許文献１のような記録媒体収納ケースは、ケースの前端下部の角付近に保持部材を回動自在に取り付ける構造であり、ビスを中心に回動する保持部材の軌道に対応させて側板のサイズを設定する必要があるため、収納する記録媒体に比して収納ケースがかなり大きなサイズとなっていた。
また、収容物の収納及び取出しの際、保持部の回転によりビス（回転軸）を介して側板（前蓋及び後蓋）の角部に位置する孔周縁部分が疲労したり磨耗したりすること、保持部材が取出位置にある状態で保持部材の回転軸方向に外力を受けた場合に、ビスの取付部分が破損する恐れがあることにより、耐久性が低くなるという問題があった。
さらに、縦方向のサイズを収納物とほぼ同じものとするために記録媒体収納ケースの上側に大きな開口を設ける必要があり、該上側の開口からゴミや埃が侵入するという問題があった。
【０００７】
一方、特許文献３〜５記載の収納ケースでは、収納ケース体に水平移動自在に取り付けられたトレイを収納ケース体から外方へ突出するように付勢するバネを設けるとともに、収納位置で収納ケース体に対してトレイを固定するロック手段を設け、このロック手段のロック機能を作動又は解除することにより、収納物を収納又は取り出しできるものである。
従って、トレイの両側における収納ケース体との摺動部分の成形精度が高くないと、トレイが収納ケース体との摩擦によりガタつき、スムーズに収納及び取り出すことができない。これに加えてバネを用いるためこれらの構造は複雑となるため、耐久性、製造コストにおいて改善すべき問題があった。
【０００８】
また、特許文献３及び４記載の収納ケースにおいては、収納物を収納又は取り出す場合に、トレイの大部分を収納ケース体から外方へ突出させる必要があり、これらの作業を行うために、収納物の大きさと略同等のスペースが開口の前側に必要となるうえ、トレイの移動距離が長く作業が煩雑となっていた。さらに、収納物の収納及び取出し作業は収納ケース体から略全部分が引き出された状態のトレイに対して垂直方向に行うため、その力が増大されてトレイを介してトレイと収納ケース本体との係合部分に作用することとなり、収納及び取出し作業中のトレイの不安定化や、耐久性の著しい低下に繋がっていた。
特許文献５記載の収納ケースにおいては、収納物がケース本体から外方に飛び出さないように、回転自在な保持部材に設けたストッパー部をバネにより内側へ付勢させ、ディスク移動経路を遮っているため、ディスク挿入時にはこのストッパー部をバネの付勢力に抗して外側へ押し出しながらディスクを挿入する必要があり、作業が煩雑になるとともに保護すべきディスクを傷つける恐れがあるうえ、ディスク挿入口から収納室の内部まで案内するガイド溝に沿って収納物を収納及び取出しを行うため、収納物のガイド溝との摺動部分が磨耗し、ディスクを保護するための収納ケースとして改善すべき問題点があった。また、バネと留め具（浮出ラッチ）が必要であり、構造が複雑化するため、重量が増すこと及び製造コストが嵩むこと等の問題があった。
【０００９】
そこで、本発明が前述の状況に鑑み解決しようとするところは、小型で簡易な構造の収納ケースであって、収納及び取出し作業を容易且つ迅速に行うことができるうえ、収納ケースとしての耐久性を備え、収納物を確実に保護できる収納ケースを提供する点にある。
【課題を解決するための手段】
【００１０】
本発明に係る収納ケースは、前記課題解決のために、開口部を設けた筐体と、収納物を着脱自在に保持する保持盤と、該保持盤が前記筐体内で転動して直線状に移動するように案内し、前記保持盤を前記筐体内に収容した収納位置と、前記保持盤を前記開口部から前記筐体の外方へ突出させた取出位置とに、位置切換え可能とする転動案内手段とを備えたことを特徴とするものである。
【００１１】
ここで、前記転動案内手段が、前記筐体に設けられ、前記保持盤の転動方向に延びるラックギアと、前記保持盤に設けられ、前記ラックギアに噛合するピニオンギアとを備えたものであると好ましい実施の形態である。
【００１２】
また、前記保持盤が収納物を保持する掛止部を有し、前記収納位置では該掛止部の全部又は一部が収納物よりも該収納物の取出方向の前方側に位置し、前記取出位置では前記掛止部の全部が収納物よりも該収納物の取出方向の前方側に位置しないものとすると好ましい実施の形態である。
【００１３】
さらに、前記筐体に、前記保持盤の周縁部を前記収納位置と前記取出位置との間に渡って直線状に案内する案内溝を設けると好ましい。
【００１４】
さらにまた、前記筐体に複数の前記保持盤を積層状に内装することができる。
【００１５】
また、前記保持盤における前記収納位置の開口部側に、前記保持盤を操作する操作部と形成し、隣接する前記保持盤の操作部が周方向にズラして配設されていると好ましい。
【発明の効果】
【００１６】
以上のように、本発明に係る収納ケースによれば、保持盤が収納位置と取出位置との間を直線状に移動するため、保持盤と同じ大きさの開口部があれば外方へ突出させることができる。このため、収納位置における収納物と筐体との隙間を最小限とすることができ、収納ケースのサイズを小さくすることができるという顕著な効果を奏する。また、保持盤が転動することにより位置切替がなされるため、収納位置と取出位置間における保持盤の移動がスムーズなものとなり、円滑な位置切換操作を実現でき、しかも位置切替作業における収納ケースに対する負荷を分散させ、結果、収納ケースの耐久性を向上させることができる。
【００１７】
また、前記転動案内手段が、前記筐体に設けられ、前記保持盤の転動方向に延びるラックギアと、前記保持盤に設けられ、前記ラックギアに噛合するピニオンギアとを備えたものであると、簡単な構造で保持盤を収納位置から取出位置、又は取出位置から収納位置へ滑ることなく確実に移動させることができる。
【００１８】
さらに、前記保持盤が収納物を保持する掛止部を有し、前記収納位置では該掛止部の全部又は一部が収納物よりも該収納物の取出方向の前方側に位置し、前記取出位置では前記掛止部の全部が収納物よりも該収納物の取出方向の前方側に位置しないものによれば、  保持盤を収納位置から取出位置に転動して移動させるだけで、保持盤を筐体よりも外方へ突出させると共に、掛止部を収納物よりも開口部側に位置しないように移動させることができ、収納物を容易に取り出すことができる。
また、収納物の全部又は大部分が筐体から外側に位置させない位置でも収納物を収納及び取出し作業を行うことができるため、収納位置と取出位置との距離を短くすることにより、収納ケースの前側に大きなスペースを設ける必要がなく、しかも収納物の出し入れを迅速且つ容易に行える。
【００１９】
さらに、前記筐体に、前記保持盤の周縁部を前記収納位置と前記取出位置との間に渡って直線状に案内する案内溝を設けたものによれば、保持盤の回転軸方向の移動が規制され、収納位置と取出位置間において保持盤を直線状にスムーズに移動することができる。
【００２０】
さらにまた、前記筐体に複数の前記保持盤を積層状に内装したものによれば、多数の収納物を効率よく収納してコンパクトに整理できる。
【００２１】
また、前記保持盤における前記収納位置の開口部側に、前記保持盤を操作する操作部を形成し、隣接する前記保持盤の操作部を周方向にズラして配設すると、複数設けられた保持盤の中から、選択した保持盤の操作部のみを確実に操作することができ、収納物を連装するタイプの収納ケースの操作性を向上でき、商品価値を高めることができる。
【図面の簡単な説明】
【００２２】
【図１】本発明の第１実施形態に係る収納ケースの構成を示す斜視図である。
【図２】同じく保持盤の構成を示す斜視図である。
【図３】同じく保持盤が収納位置にある状態での縦断面図である。
【図４】同じく保持盤が収納位置から取出位置への移動途中にある状態での縦断面図である。
【図５】同じく保持盤が取出位置にある状態での縦断面図である。
【図６】同じく保持盤と筐体との係合部分を説明図であり、（ａ）は取出位置の保持盤と筐体との上側係合部分の説明図、（ｂ）は下側係合部分の説明図である。
【図７】本発明の第１実施形態に係る収納ケースの他の例の構成を示す説明図であり、（ａ）は収納位置の縦断面図、（ｂ）は取出位置の縦断面図である。
【図８】本発明の第１実施形態に係る収納ケースのさらに他の例の構成を示す説明図であり、（ａ）は収納位置の縦断面図、（ｂ）は取出位置の縦断面図である。
【図９】本発明の第２実施形態に係る収納ケースの構成を示す説明図である。
【図１０】同じく収納ケースの構成を示す説明図であり、（ａ）は収納位置の縦断面図、（ｂ）は取出位置の縦断面図である。
【発明を実施するための形態】
【００２３】
次に本発明の実施の形態を添付図面に基づき詳細に説明するが、本発明は、添付図面に示された形態に限定されず特許請求の範囲に記載の要件を満たす実施形態の全てを含むものである。
添付図面の図１〜図８は本発明の第１実施形態、図９及び図１０は第２実施形態を示し、図中符号１（１Ａ、１Ｂ）は収納ケース、２は筐体、３は保持盤、４は転動案内手段をそれぞれ示している。
また、本明細書においては、図１を基準に上下方向を定義し、筐体の開口部よりも外側を外、筐体の開口部よりも内側を内とし、内から外を向く方向を外方、外方の逆方向を内方とする。
【００２４】
先ず、図１〜図８に基づき、本発明に係る第１実施形態の収納ケース１Ａの構成について詳細に説明する。
【００２５】
本実施形態の収納ケース１Ａは、ＣＤやＤＶＤ等の円盤状記憶媒体（以下、ディスクという。）を収納するためのものであり、図１に示すように、ディスクＤを保持する６枚の保持盤３が積層状に筐体２内に収容され、構成されている。
筐体２は、２枚の側板が平行に上側、下側及び奥側の板により連結されることで構成され、前側に開口部５を有し、上側及び下側の内面には、直線状に平行に延びる夫々６本の案内溝２ｃ、２ｃ、・・・が形成されているとともに、下側の内面には、案内溝２ｃに沿って６本のラックギア４ａが形成されている。
保持盤３は、ラックギア４ａとピニオンギア４ｂとからなる転動案内手段４により、筐体２内に収容された収納位置と、保持盤３を収納ケース１Ａの開口部５から外方へ突出させて保持盤３のディスクＤの出し入れが可能な取出位置とに、転動して直線状に移動するように案内される状態で、筐体２内に設けられている。なお、転動案内手段４の具体的な構成については後述する。
上述の構成により、保持盤３が筐体２の下側内面に沿って転動することで、保持盤３は外方又は内方に向かって直線状に回転しながら移動することとなる。このため、筐体２の保持盤３の出し入れのために必要な開口部５は保持盤３と同じであれば足りるが、本実施形態では使い易さを考慮し、保持盤３よりも少し大きいものとしている。
保持盤３を収納位置から取出位置へ位置切り替えする場合に、保持盤３開口部５側の操作部３ａに指を掛けて保持盤３を操作する。この操作部３ａは隣接する保持盤３で異なった高さ位置に設けられているとともに、筐体２と保持盤３の操作部３ａに近接する部分には凹部２ａ、３ｎが形成されており、保持盤３を略隙間なく積層しつつ選択した保持盤３の操作部３ａのみに指を掛け易く、取出作業が容易となっている。
【００２６】
図２に示すように、収納ケース１Ａでは、６枚の保持盤３、３、・・・が、積層状に１個の筐体２に内設されている。ただし、６枚以外枚数の保持盤３を筐体２に内装するように構成することも可能である。
保持盤３は、転動案内手段４により、各々が筐体２に対して一定範囲内で転動自在に取り付けられており、これらの保持盤３は他の保持盤３、３、・・・の動きに影響を受けず、単独で転動可能となっているため、ディスクＤを収納する目的の一枚の保持盤３のみを取出位置とすることに加えて、２枚以上の保持盤３、３、・・・を取出位置とすることも可能である。
また、保持盤３は、形状外周の一部に切欠部３ｂと、切欠部３ｂ以外の一部に周縁部３ｊとを有する略円盤状であって、ディスクＤの外周に沿う円弧状の周壁部３ｉと、この周壁部３ｉの開口側端部に設けた、ディスクＤを保持する掛止爪３ｃと、ディスクＤのガタツキ及び取出位置における飛び出しを防止する遊動防止部３ｄと、保持盤３が取出位置よりも外方へ突出することを防止するストッパー部３ｅと、収納位置と取出位置で保持盤３の移動を一時的にロックする外周上に設けられた凸部３ｆと、この凸部３ｆのロック及び解除機能を保持盤３の素材の弾性を利用して十分に発揮させるための孔３ｇと、ディスクＤの記憶部分が保持盤３と接触しないように無記憶部分を支持する支持部３ｈとよりなる。
【００２７】
上述のように、保持盤３は略円盤状であり、保持盤３を筐体２の下側内面上を円盤外周部により転動させることができる。また、収納位置の保持盤３の外方側上部に切欠部３ｂを有し、この切欠部３ｂが取出位置で外方を向くため、ディスクＤを保持盤３からつまんで抜き出し易い。
【００２８】
ここで、周縁部３ｊは、筐体２の上側内面及び下側内面に取出方向に延びる案内溝２ｃに嵌め込まれている。これにより、保持盤３が収納位置から取出位置の間で回転軸方向に移動せず安定して転動するように案内される。
また、周壁部３ｉは、保持盤３に略半円状に設けられた凸条で構成され、周壁部３ｉには、３個の掛止爪３ｃ、３ｃ、・・・と、一端部に遊動防止部３ｄと、他端部付近にストッパー部３ｅと、外周の一部にピニオンギア４ｂが設けられている。
３個の掛止爪３ｃ、３ｃ、・・・は、周壁部３ｉから保持盤３の中央部側へ突出されて、ディスクＤの回転軸方向への移動を規制するものであり、これらのうち収納位置で最も開口部５に近い掛止爪３ｃは、収納位置でディスクＤよりも開口部５側に位置し、取出位置でディスクＤよりも取出し方向に位置しないように配置されているため、収納位置でディスクＤが外方向に突出することを防止するとともに、取出位置でディスクＤの収納及び取出し作業を邪魔しない。
さらに、遊動防止部３ｄがディスクＤ側に常時付勢されるように設けられているため、取出位置においても遊動防止部３ｄが確実にディスクを保持してディスクＤの遊動を防止し、また、ディスクＤが保持盤３から容易に外れることがない。
また、ストッパー部３ｅが取出位置で筐体２の上側内面の段部２ｄに当接するため、保持盤３も筐体２からの飛び出しを防止でき、さらに、収納位置及び取出位置で保持盤３外周部の凸部３ｆが筐体２の内側凹部２ｂに嵌り込むことで保持盤３の移動が一時的にロックされ、使い勝手がよく、持ち運ぶ収納ケースとして好適なものとなっている。
支持部３ｈは、図示するように保持盤３の保持面に設けるとともに、掛止爪３ｃのディスクＤ接触側にも設けられている（図示せず）。これにより、ディスクＤの記憶面を裏表の何れを向けて収納した場合でも、ディスクＤの記憶部分が保持盤３に接触せず、ディスクＤを安全に保管できる。
【００２９】
次に、図３〜図５に沿って収納ケース１Ａの構成、取出し及び収納動作について説明する。
【００３０】
図３には、収納ケース１Ａの保持盤３が収納位置にある状態を示す。
図示するように、転動案内手段４は、筐体２の下側内面に形成されたラックギア４ａと、保持盤３の周壁部３ｉの外周の一部に形成されたピニオンギア４ｂとよりなる。
ラックギア４ａは、筐体２の下側内面の開口部５側の約半分の長さに渡って形成されており、ピニオンギア４ｂは、保持盤３の収納位置における下側の外周の約６分の一の長さに渡って形成されている。
上記構成の転動案内手段４により、収納ケース１Ａは、保持盤３が所定範囲で滑ることなく、筐体の下側内面に沿って転動をする。また、図示するように収納ケース１Ａを立てた状態で使用する場合、保持盤３の自重がピニオンギア４ｂに加わることにより、ラックギア４ａとピニオンギア４ｂとの係合が、より確実なものとなる。
なお、ラックギア４ａ及びピニオンギア４ｂは、筐体２の下側内面に形成されたもの及びこれに係合するものとしているが、これに限られず、保持盤３が筐体２内で滑ることなく転動するように案内することができるものであって、保持盤３が収納位置から取出位置まで変位可能な範囲に渡り形成されているものであればよく、例えば、筐体２内の上下方向中央に近い位置に形成することにより、ピニオンギア４ｂを小径としてもよい。
【００３１】
この収納位置において、ディスクＤを保持する保持盤３は、操作部３ａが操作可能な状態でが筐体２内に収納されている。また、保持盤３の周縁部３ｊが筐体２の案内溝２ｃによって筐体２の内外方向に案内され、保持盤３回転軸方向へ保持盤３が移動しないように規制されている。この位置では、保持盤３の開口部５側の凸部３ｆが筐体２の略中央に位置する内側凹部２ｂに嵌合して一時的な位置決めがされる。この凸部３ｆは、これよりも保持盤３中心側に位置する孔３ｇにより、弾性力を有して内側凹部２ｂに係合しており、外力が加わると保持盤３中心側へ逃げる構成となっている。
このような構成により、収納ケース１Ａは凸部３ｆと内側凹部２ｂが嵌合することにより保持盤３を一時的に収納位置に保持でき、また、操作部３ａを保持盤３が回転するように下方へ操作することで、このロックを解除するとともに、保持盤３を取出位置側へ筐体２側のラックギア４ａに沿って転動させることができる。
【００３２】
図４に示すように、操作部３ａに指を掛けて下側へ操作することにより、保持盤３は収納位置から取出位置への移動を開始する。このとき、保持盤３の回転軸方向への移動は案内溝２ｃに保持盤３の周縁部３ｊが係合することにより規制されると共に、転動案内手段４により保持盤３の転動時におけるスベリが防止されるため、保持盤３は筐体２内の収納位置から取出位置に円滑に移動することになる。さらに、上記操作により、保持盤３がラックギア４ａ側に押し下げられるため、保持盤３と筐体２との上側の係合部分に生ずる摩擦力が小さくなることで、よりスムーズな取出動作を実現している。
【００３３】
図５に示すように、保持盤３が取出位置にある状態では、保持盤３のストッパー部３ｅが筐体２側の段部２ｄに当接して、保持盤３がこれ以上外方へ突出しない。また、この取出位置でも上記収納位置と同様に、保持盤３の開口部５側でない凸部３ｆが筐体２の開口部５近傍の内側凹部２ｂに嵌合して、保持盤３が筐体２に対して一時的にロックされる。
また、この取出位置では、掛止爪３ｃがディスクＤよりも外方に存在しない。従って、保持盤３の収納位置から取出位置までの移動は、掛止部３ｃが収納位置においてはディスクＤを取り出せない位置に有り、取出位置においてはディスクＤの取出しを邪魔しない範囲まで移動すれば良い。よって、収納ケース１Ａの取出し作業は迅速かつ容易に行うことができるとともに、取出位置にある保持盤３に外力が加わった場合でも破損等の不都合が生じ難い。
【００３４】
図６には、収納ケース１Ａの保持盤３が取出位置にある状態（図５）の部分拡大縦断面図を示す。
【００３５】
筐体２と保持盤３との上側では、（ａ）に示すように、保持盤３の周縁部３ｊと筐体２の案内溝２ｃとが係合している。また、筐体２と保持盤３の下側では、（ｂ）に示すように、上側と同様に保持盤３の周縁部３ｊと筐体２の案内溝２ｃとが係合するとともに、ピニオンギア４ｂとラックギア４ａとが噛合している。このため、保持盤３は、保持盤の回転軸方向に対して移動できないように規制されるとともに、筐体２の下側内面を滑ることなく適切な位置関係を維持して、筐体２の下側内面に沿って転動するようにし、内方又は外方に直線状に移動することができる。
また、ディスクＤは、外周縁に存在する無記憶部分（データが入力されない部分）を保持盤３の支持部３ｈによって、支持されるため、無記憶部分よりも内側に存在する記憶部分（データが入力される部分）が保持盤３と接触せず、ディスクＤに傷を与えない。
【００３６】
なお、第１実施形態の説明においては、筐体２に設けられ、保持盤３の転動方向に延びるラックギア４ａと、保持盤３に設けられ、ラックギア４ａに噛合するピニオンギア４ｂとを備えたものである収納ケース１Ａを例に挙げて説明したが、これに限られず、転動案内手段４は保持盤３を筐体２に対して滑らず転動して移動するように案内するものであればよく、図７に示すようにバネ材４ｃ、又は図８に示すように紐部材４ｄを用いて構成してもよい。また、保持盤３の掛止爪３ｃ内側にバネを設けて、保持盤３が取出位置に移動したときにディスクＤが取出方向へ飛び出すものとしてもよい。
【００３７】
ここで、図７のようにバネ材４ｃを用いた収納ケース１Ａは、筐体２と保持盤３との間に、直線状に延びる方向に付勢力を発揮するバネ材４ｃを介装しており、このバネ材４ｃの一端を筐体２の開口部５付近に固定するとともに、他端を保持盤３の円弧部に沿った状態で保持盤３に固定することにより、保持盤３の転動を案内して収納位置から取出位置、又は取出位置から収納位置に移動させることができるうえ、バネ材４ｃの付勢力を保持盤３が内方又は外方に移動する力としているため、使い勝手が良い。
【００３８】
また、図８のように、２本の紐部材４ｄ、４ｄを用いた収納ケース１Ａは、収納位置において一本の紐部材４ｄの約半分が保持盤３の周壁部３ｉの外周に沿うようにして外方側の一端を周壁部３ｉに固定し、残りの半分を筐体２の下側内面に沿うようにして内方側の他端を筐体２に固定するとともに、もう一本の紐部材４ｄの半分を筐体２の下側内面に沿うようにして内方側の他端を筐体２に固定し、残りの約半分が保持盤３の周壁部３ｉの外周に沿うようにして外方側の一端を周壁部３ｉに固定している。このため、これらの２本の紐部材４ｄ、４ｄにより保持盤３は筐体２の内面に沿って転動して直線状に移動するように案内され、収納位置から取出し位置、又は取出し位置から収納位置に位置切替することができる。
なお、紐部材４ｄは、上記構成に限らず、一端部を筐体２に沿うように固定し、もう一端部を取出位置において、ディスクＤの抜き差しに影響が無く、且つ、保持盤３が回動する範囲において、紐部材４ｄが保持盤３の周壁部を離れない位置に固定されるものであればよく、弾性力を有するバネ材を用いてもよい。  
【００３９】
また、図７及び図８に示す収納ケース１Ａのその他の構成については、上記第１実施形態と同様であり、同一構造については同一の符号を付してその説明を省略する。
【００４０】
次に、図９及び図１０に基づき、本発明に係る第２実施形態の収納ケース１Ｂの構成について詳細に説明する。
【００４１】
本実施形態の収納ケース１Ｂは、ゲームソフトを格納した正面視略矩形の板状のメモリカードＳを収納するためのものであり、図１に示すように、メモリカードＳを保持する４枚の保持盤３が左右に各２枚ずつ、積層状に筐体２内に配置され、構成されている。また、メモリカードＳは、保持盤３に設けた左右の掛止アーム３ｍにより着脱自在に挟持され収納される。
筐体２には、上方から見てＬ字状の取付具６が左右に設けられており、この左右の取付具６がバネ（図示せず）により内側に向かって付勢されている。従って、この取付具６をバネの付勢力に抗して外側に広げてゲーム機Ｇに挟むように取り付けることで、収納ケース１Ｂをポータブルゲーム機（以下、ゲーム機という。）Ｇに固定することができる。また、取付具６の内側及び筺体２のゲーム機Ｇ側にはスポンジ等の保護部材（図示せず）を設けてゲーム機Ｇが傷付くことを防止している。
【００４２】
図１０に示すように、収納ケース１ＢからメモリカードＳを取り出す場合は、筐体２から外方に突出した操作部３ａを外方斜め下に押し下げ、又は外方向斜め上に押し上げて保持盤３を転動させればよい。
【００４３】
上記構成により、ゲーム機Ｇに収納ケース１Ｂを取り付けることで、５個のメモリカード（ゲーム機Ｇに取り付けたものを含む。）を持ち歩くことができ、ゲーム機Ｇと別のケース等を持ち歩くことなく、気分に合わせてメモリカードを選択することができる。
第２実施形態に係る収納ケース１Ｂのその他の構成については、上記第１実施形態と同様であり、同一構造については同一の符号を付してその説明を省略する。
【００４４】
なお、上記第１実施形態及び第２実施形態では、何れも保持盤の片面に収納物を保持して収納するものとしたが、これに限られず、保持盤の両面に収納物を保持させるものとして構成してもよく、この収納ケースによれば、よりコンパクトで製造コストを低廉化することができるものとなる。
また、開口部に開閉自在の蓋を設けて収納ケースとしての収納物の安全性を高めたものとしてもよい。
さらに、単又は複数の保持盤を筐体に収容して１個の収納ケースを構成するとともに筐体の側面に連結手段を設けて、他の筐体と連結固定できるものとしてもよい。
さらにまた、収納物としては、上述のような円盤状のＣＤやＤＶＤ、正面視矩形の板状のメモリカードに限られず、各種形状の記憶媒体やその他の物品を収納することができる。
また、筐体内の保持盤は、第１実施形態のように積層状に設けたもの、又は第２実施形態のように積層状に設け、且つ１対の開口部間に２列並設したものだけでなく、上下方向に並設されたもの、又はこれらを組み合わせて複数の保持盤を設けたものであってもよい。
【符号の説明】
【００４５】
１Ａ、１Ｂ    収納ケース
２     筐体
２ａ   凹部
２ｂ   内側凹部
２ｃ   案内溝
２ｄ   段部
３     保持盤
３ａ   操作部
３ｂ   切欠部
３ｃ   掛止爪
３ｄ   防止部
３ｅ   ストッパー部
３ｆ   凸部
３ｇ   孔
３ｈ   支持部
３ｉ   周壁部
３ｊ   周縁部
３ｋ   巻付部
３ｍ   掛止アーム
３ｎ   凹部
４     転動案内手段
４ａ   ラックギア
４ｂ   ピニオンギア
４ｃ   バネ材
４ｄ   紐部材
５     開口部
６     取付具
Ｄ     ディスク
Ｇ     ゲーム機
Ｓ     メモリカード
【図１】
2011105378.tif 000003
【図２】
2011105378.tif 000004
【図３】
2011105378.tif 000005
【図４】
2011105378.tif 000006
【図５】
2011105378.tif 000007
【図６】
2011105378.tif 000008
【図７】
2011105378.tif 000009
【図８】
2011105378.tif 000010
【図９】
2011105378.tif 000011
【図１０】
2011105378.tif 000012